(57)【要約】【課題】無線タグリーダライタのケース内の制約された場所においても、比較的大きく、読み書き範囲が広く、高性能なアンテナを設置した無線タグリーダライタを提供する。【解決手段】ケースにおいて無線タグの読み取りを行なう電波読み取り口２が曲面で形成されている無線タグリーダライタであり、その電波読み取り口の内壁側面に沿って可撓性を有する基材１０２とそのシートに形成したループアンテナ１０１とからなる可撓性を有するアンテナが取り付けられた構成とすることにより、ケース内の位置設定自由度が高く、通信距離も長く、指向性に優れた無線タグリーダライタとすることができる。【選択図】図１
2004266811.tif 000002
【特許請求の範囲】
【請求項１】
ケースにおいて無線タグの読み取りを行なう一端面が曲面で形成されている無線タグリーダライタであり、その曲面に沿って可撓性を有するシートとそのシートに形成した導体パターンとからなる可撓性を有するアンテナが取り付けられた無線タグリーダライタ。
【請求項２】
ケースにおいて無線タグの読み取りを行なう端面が複数の面で形成されている無線タグリーダライタであり、その複数の面のうち少なくとも二つの面にまたがって可撓性を有するシートとそのシートに形成した導体パターンとからなる可撓性を有するアンテナが取り付けられた無線タグリーダライタ。
【請求項３】
ケースにおいて無線タグの読み取りを行なう端面が少なくとも一つの曲面を含む複数の面から形成されている無線タグリーダライタであり、その曲面とその他の面にまたがって可撓性を有するシートとそのシートに形成した導体パターンとからなる可撓性を有するアンテナが取り付けられた無線タグリーダライタ。
【請求項４】
可撓性を有するシートが磁性を有する請求項１から３いずれか一項に記載の無線タグリーダライタ。
【請求項５】
アンテナの空心部に可撓性を有する磁性材料を設けた請求項１から３いずれか一項に記載の無線タグリーダライタ。
【請求項６】
ケースの外側または内側にアンテナを取り付けた請求項１から５いずれか一項に記載の無線タグリーダライタ。
【請求項７】
光学情報読取機能を備えた無線タグリーダライタであって、光学情報に光を照射するための開口部を有するケースと、前記ケースに取り付けるカバーとを備え、前記カバーの形状に沿って可撓性を有するシートとそのシートに形成した導体パターンとからなる可撓性を有するアンテナを取り付けた無線タグリーダライタ。
【請求項８】
カバーは曲面形状を有する請求項７記載の無線タグリーダライタ。
【請求項９】
アンテナを取り付けたカバーはケースに対して着脱可能であり、各々異なる特性のアンテナを設けたカバーを目的用途に応じて交換可能とした請求項７または８記載の無線タグリーダライタ。
【請求項１０】
アンテナを設けた面がケース側となるようにカバーを取り付けた請求項７から９いずれか一項に記載の無線タグリーダライタ。
【請求項１１】
可撓性を有するシート上にアンテナの同調回路を設けた請求項１から１０いずれか一項に記載の無線タグリーダライタ。
【発明の詳細な説明】
【技術分野】
【０００１】
本発明は、可撓性を有するアンテナを用いて無線タグと交信し、その無線タグのメモリ内容の読み込み、あるいは書き込みを行なう無線タグリーダライタに関するものである。
【背景技術】
【０００２】
従来、非接触でＩＣカード、または無線タグのメモリ内容の読み出し、書込みを行なうための無線タグリーダライタには、電磁誘導を利用するためアンテナが内蔵されており、一般的には、銅線などを平面上に螺旋状になるように巻いたもの、何層にも重ねてコイル状としたものもしくはフェライトなどを軸心に用いて銅線などを螺旋状に巻いたものが用いられている。
【０００３】
このような無線タグリーダライタにおいては、無線タグとの情報信号の送受信を行なうことのできる範囲や送受信方向の信頼性、距離を向上させたいという強い要望があるため、複数の平面アンテナを搭載したり、その位置決めにも様々な工夫が施されていた（例えば特許文献１参照）。
【特許文献１】特開２０００−１７２７９５号公報（第２、３ページ、第２図）
【発明の開示】
【発明が解決しようとする課題】
【０００４】
しかしながら上記従来の構成によれば、内蔵されるアンテナは平面状や筒状などいずれも堅牢な形状をしているものであり、設置位置が限定されるということ、また通信距離を長く取るためにはある程度の大きさが必要なため、無線タグリーダライタ内のスペースをとるという問題があった。
【０００５】
図１７は平面状の堅牢なアンテナ１２を搭載した無線タグリーダライタの電波読み取り口８０２の断面図である。矢印はこの平面状の堅牢なアンテナ１２の通信可能な方向を示す。このアンテナ１２はケースの内部に密着した設置は不可能であるので、必然的にケース内部の奥まった場所に取り付けられることとなり、実質的な通信距離であるケース表面・無線タグ間の距離を伸ばすことが難しかった。例えば無線タグを読み取る場合、その無線タグと無線タグリーダライタに搭載されるアンテナとの通信可能な距離は、小さいもので１ｃｍ〜２ｃｍとなっていることからも、アンテナはできる限りケースの内壁面近傍に設置したいことが分かる。
【０００６】
図１８（ａ）はフェライトコアを有するアンテナ１３の斜視図であり、磁束はフェライトコアの中心を貫き、放射される。図１８（ｂ）はこのフェライトコアを有するアンテナ１３を電波読み取り口９０２に平行に搭載した無線タグリーダライタの断面図である。無線タグリーダライタ内のスペースを多くとるという問題があった。
【０００７】
本発明はこのような従来の課題を解決するものであり、無線タグリーダライタのケース内という限られた空間を有効に利用したアンテナを具備することで、通信距離が長く、読み書き範囲が広い、軽量小型で安価な無線タグリーダライタを提供することを目的とする。
【課題を解決するための手段】
【０００８】
上記の課題を解決するために本発明は、ケースにおいて無線タグの読み取りを行なう一端面が曲面で形成されている無線タグリーダライタであり、その曲面に沿って可撓性を有するシートとそのシートに形成した導体パターンとからなる可撓性を有するアンテナが取り付けられた構成とした。これにより、ケース内の位置設定の自由度が高く、通信距離も長く、指向性に優れた無線タグリーダライタとすることができる。
【発明の効果】
【０００９】
以上のように本発明によれば、ケースにおいて無線タグの読み取りを行なう一端面が曲面で形成されている無線タグリーダライタであり、その曲面に沿って可撓性を有するシートとそのシートに形成した導体パターンとからなる可撓性を有するアンテナが取り付けられた構成とすることにより、ケース内の位置設定自由度が高く、通信距離も長く、指向性に優れた無線タグリーダライタとすることができる。
【発明を実施するための最良の形態】
【００１０】
上記の目的を達成するために本発明はケースにおいて無線タグの読み取りを行なう端面が曲面で形成されている無線タグリーダライタであり、その曲面に沿って可撓性を有するシートとそのシートに形成した導体パターンとからなる可撓性を有するアンテナが取り付けられた無線タグリーダライタとした。これにより、面積の大きなアンテナが設置可能となり通信距離の向上につながり、また無線タグの読み取り範囲も広く、読み取り動作・書込み動作を確実に行なうことのできる小型の無線タグリーダライタを安価に提供することができる。
【００１１】
また、ケースにおいて無線タグの読み取りを行なう端面が複数の面で形成されている無線タグリーダライタであり、その複数の面のうち少なくとも二つの面にまたがって可撓性を有するシートとそのシートに形成した導体パターンとからなる可撓性を有するアンテナが取り付けられた無線タグリーダライタとした。これにより読み書き範囲を広くすることが可能である。
【００１２】
さらに、可撓性を有するシートが磁性を有する無線タグリーダライタ、およびアンテナの空心部に可撓性を有する磁性材料を取りつけた無線タグリーダライタとすることで、通信距離の長いものとすることができる。
【実施例】
【００１３】
以下本発明の実施例を図面を参照して説明する。
【００１４】
（実施例１）
図１（ａ）、（ｂ）は可撓性を有するループアンテナ１０１を内蔵する無線タグリーダライタの側面図と正面図である。電波読み取り口２は外に向けて凸となった曲面で形成されており、ループアンテナ１０１はこの電波読み取り口２の内部の壁面の形に添って貼り付けられる。この電波読み取り口２には対象とする無線タグが読み取り・書込み範囲内に入るような目安線を設ける。これは無線タグとの理想的な位置関係の指示表示でも良い。
【００１５】
無線タグリーダライタの表面には、電源のオン、オフをつかさどるパワースイッチ３、前記ループアンテナ１０１の情報の送受信を開始するための送信開始キー４、使用者が作業上の操作の確定を行なうＯＫキー５、使用者が情報の入力を行なうテンキー６、使用者が情報や作業の選択を行なうためのファンクションキー７、前記情報の入力及び出力結果を表示するための表示部８から構成される。
【００１６】
図２に本発明の電磁誘導型の無線タグリーダライタのアンテナを示す。図２（ａ）は正面図、図２（ｂ）は側面図である。両図においてループアンテナ１０１はシート状の基材１０２に挟まれる形で銅あるいはアルミニュームの線あるいは箔によって形成されている。電磁誘導の発生周波数やアンテナの大きさによってループの数は異なるが、たとえば電磁誘導の発生周波数が１３．５６ＭＨｚの場合、ループ数は４から１０程度である。基材１０２はポリエステルなどの厚さ０．１ｍｍ程度の薄いフィルムからできていて、柔軟で可撓性を有する性質である。ループアンテナ１０１はアンテナ引き出し部１０３と接続し、無線タグリーダライタ内の回路と接続される。
【００１７】
なおケースにループアンテナ１０１を貼り付ける際はケースの内側の壁面に基材１０２が入り込むような引っかけ部品あるいは落ち込む部分などを設け、さらにそこへ接着剤などで固定すると良い。また、基材１０２上のループアンテナ１０１はケースの壁内部に組み込むことも可能であるが、壁の厚さがループアンテナ１０１の通信距離を損なわない程度であれば上記のようにケース内部の壁面に貼り付けるだけで充分である。
【００１８】
また、ループアンテナ１０１の作る磁界は通常その裏と表で対称となるので、ループアンテナ１０１を挟む基材１０２は表裏のないものとなる。なお例えばケース内で基材１０２の内方向に反射材などを設ければ、ケース外方向への指向性が強くなる。
【００１９】
図３において、無線タグリーダライタ３００は制御装置３１０と無線タグ読み書き装置３２０からなる。
【００２０】
制御装置３１０は信号処理部３１１と送信開始キー３１２とキー入力部３１３と表示部３１４と記憶部３１５からなる。
【００２１】
まず信号処理部３１１は主にＣＰＵと呼ばれるマイクロコンピュータで実現され、接続される装置とデータの入出力やデジタル演算を行ない、制御の中心的役割を持つ。この信号処理部３１１によって送信開始キー３１２、キー入力部３１３、無線タグ読み書き装置３２０から入力された情報を表示部３１４へ出力し、記憶部３１５へ情報データを格納する。
【００２２】
そしてキー入力部３１３はパワースイッチ３、送信開始キー４、ＯＫキー５、テンキー６、ファンクションキー７などで構成される。
【００２３】
表示部３１４は液晶表示装置などで構成され、作業者に視覚的な情報を伝え、記憶部３１５はデジタルデータを記憶しておくメモリで構成され、無線タグから読み取った情報を記憶する。
【００２４】
さてここで無線タグ読み書き装置３２０はアンテナ３２１と復調変調器３２２から構成される。アンテナ３２１は無線タグ３４０へ電磁波を送信し、データを送り、また、無線タグ３４０からの電磁波を受信する。変調復調器３２２は信号処理部３１１から送られた送信データに変調をかけてアンテナ３２１へ送出するとともに、アンテナ３２１で受信した信号を復調しデジタルデータに変換して信号処理部３１１へ送る。
【００２５】
無線タグ３４０は、無線タグ読み書き装置３２０から情報データを読み出すあるいは書き込むことができ、デジタルデータを記憶保持する。
【００２６】
また信号処理部３１１における処理結果は無線タグリーダライタとは別途に設けられたホスト装置３５０へまとめて送られるものである。
【００２７】
このような構成によれば、可撓性を有するループアンテナ１０１はケースの電波読み取り口２の曲面に沿った形で取り付けられているので、ループアンテナ１０１の表面積は大きくなり、結果大きな磁界を生じるものとなる。つまり同じケースのサイズであるならば、通信距離の長いもの、逆に通信距離が短くても構わないのであれば、より小型の無線タグリーダライタとすることができる。
【００２８】
また曲面に密着して取り付けられるので、従来の平面状で堅牢なアンテナと違いループアンテナ１０１とケースとの間に無駄なスペースが存在することはない。つまりそのループアンテナ１０１が有する通信距離を最大限に利用した送受信が可能となる。アンテナによってはその通信距離が１ｃｍ〜２ｃｍのものがあるので、上記の構成による効果は大きい。
【００２９】
このように、空間が制限されている無線タグリーダライタのケース内においても余分な場所をとることはないことから、ケースの小型化を図ることはもちろんであるし、無線タグリーダライタ内に搭載されるその他の部品に関する位置設定の自由度が高くなるというメリットも得られる。
【００３０】
さらに、ループアンテナ１０１が曲面状に配置されていることから、発生する磁界もこの曲面に対応して発生することとなる。
【００３１】
図４（ａ）は本発明の実施例１のループアンテナ１０１を電波読み取り口２の曲面に沿って配置した無線タグリーダライタの断面図であり、矢印は磁束の様子を示す。磁束はループアンテナ１０１の導線を中心として円弧を描くので、無線タグリーダライタの上面から下面にかけても強い磁界が作られることが分かる。
【００３２】
従って上記構成によれば、電波読み取り口２の曲面に沿った位置での無線タグへの送受信が可能となる。つまり磁界方向が広がるので、無線タグの読み取り角度が大きくなる。
【００３３】
図４（ｂ）はその説明である。ループアンテナ１０１の導線を中心として回る磁束の発生を円で示した。このような磁束は互いに強め合い、矢印で示したようにループアンテナ１０１の中心付近で磁界の強さが最大となることが分かる。つまり、電波読み取り口２に沿ってループアンテナ１０１を配置してある場合は、ちょうどその中心を無線タグにかざせば良いので使用者に親切な作りとなる。
【００３４】
また、無線タグリーダライタの読み取りを行なう端面の形は所望の読み取り範囲に応じて形成することも可能である。
【００３５】
例えば、図５（ａ）は電波読み取り口５０２が複数の面から構成された無線タグリーダライタの断面図であり、この複数の面からなる内部壁面にループアンテナ５０１を貼り付けることで、上記と同様の効果が得られる。また、図５（ｂ）は電波読み取り口５０２の左右に曲面を設けた無線タグリーダライタの正面図である。この場合は左右の曲面から前方壁面にまたがってループアンテナ５０１が接着されるので、通信角度は左右に広がることとなる。
【００３６】
（実施例２）
次に本発明の実施例２の無線タグリーダライタについて図６を参照しながら説明する。無線タグリーダライタの構成は実施例１と同様である。
【００３７】
図６（ａ）（ｂ）は本実施例２におけるループアンテナ６０１の側面図と正面図である。ポリエステルシートなどの柔軟な材質でできた基材６０５に挟まれる形で第１ループアンテナ６０１と第２ループアンテナ６０２と第３ループアンテナ６０３が連続したループアンテナとして銅線あるいは銅箔で形成され、アンテナ引き出し線６０４につながっている。これは無線タグリーダライタのケースが横方向に曲面を持っている場合に、第１ループアンテナ６０１によって前面にある無線タグと通信を行ない、第２ループアンテナ６０２は第２ループアンテナの前にある無線タグと通信を行ない、また、第３ループアンテナ６０３は第３ループアンテナの前面にある無線タグと通信を行うことができる。この場合、無線タグリーダライタの前面のみでなく、側面方向にある無線タグとも通信することができ、広い通信範囲を持つことができる。
【００３８】
また、銅線あるいは銅箔で形成されたループアンテナは、ポリエステルシートなどの基材６０５に挟まれて形成されるので、短絡、破損を防止することが容易となる。
【００３９】
（実施例３）
本発明の実施例３の無線タグリーダライタについて図７を参照しながら説明する。無線タグリーダライタの構成は実施例１と同様である。
【００４０】
図７（ａ）（ｂ）は本実施例３における磁性材料７０４が取り付けられたループアンテナ７０１の正面図および側面図である。ループアンテナ７０１が柔軟な材質でできた基材７０２に挟まれる形で銅あるいはアルミニュームの線あるいは箔によってループ状に形成され、アンテナ引き出し部７０３と接続し、無線タグリーダライタ内の回路と接続される。この基材７０２の両側に、たとえばゴムあるいはプラスチック状の柔軟な材質にフェライト粉をまぜた磁性材料７０４を取り付けてある。
【００４１】
磁性材料７０４の厚みは１ｍｍ〜３ｍｍとし、基材７０２の厚みを０．３ｍｍほどとすれば、可撓性を損なうこともない。また、磁性材料７０４はそのまま剥き出しでも良いが、高温度高湿度対策で樹脂コーティングを施しても良い。以上の構成により、アンテナ全体が柔軟であり、かつ磁性材料７０４により透磁率を高めることができるので、アンテナの通信性能を高めることができ、無線タグとの通信距離を伸ばすことができる。
【００４２】
なお、本実施例３では柔軟な材質でできた基材７０２の両側に磁性材料７０４を取り付けたが、磁性を有する基材７０２を用いても良い。例えばプラスチック材料とフェライト粉が混合した磁性シートが挙げられる。
【００４３】
上記実施例によれば、以下のような効果が期待できる。
【００４４】
１）アンテナの面積を大きくすることができ、通信距離が伸びる。
【００４５】
２）アンテナの通信可能距離を最大限に利用することができる構成となる。
【００４６】
３）磁界方向が広がる構成とすることができるので、無線タグの読み取り角度が大きくなり、結果操作性が向上する。
【００４７】
（実施例４）
本発明の実施例４の無線タグリーダライタについて図８ないし図１０を参照しながら説明する。無線タグリーダライタの構成は実施例１と同様である。
【００４８】
図８の（ａ）、（ｂ）は可撓性を有するループアンテナ２０１を外装する無線タグリーダライタの側面図と正面図である。電波読み取り口２０２は外に向けて凸となった曲面で形成されており、ループアンテナ２０１はこの電波読み取り口２０２を取り囲むように無線タグリーダライタの外側壁面に添って設けられている。
【００４９】
また、無線タグリーダライタの表面には、電源のオン、オフをつかさどるパワースイッチ２０３、前記ループアンテナ２０１の情報の送受信を開始するための送信開始キー２０４、使用者が作業上の操作の確定を行なうＯＫキー２０５、使用者が情報の入力を行なうテンキー２０６、使用者が情報や作業の選択を行なうためのファンクションキー２０７、前記情報の入力及び出力結果を表示するための表示部２０８から構成される。
【００５０】
図９は無線タグリーダライタのアンテナの正面図である。この図において、ループアンテナ２１１は、シート状の基材２１２に挟まれる形で銅あるいはアルミニュームの線あるいは箔によって形成されている。基材２１２は、例えば、ポリエステルなどの厚さ０．１ｍｍ程度の薄いフィルムからなり、柔軟で可撓性を有するものである。ループアンテナ２１１はアンテナ回路２１４と接続されており、このアンテナ回路２１４はアンテナの周波数同調やインピーダンス調整やＱ調整の機能を担うものである。そして、アンテナ回路２１４はシート状の基材２１２上に形成されており、アンテナ引き出し部２１３と接続され、無線タグリーダライタ内の回路（図示せず）と接続される。このアンテナ回路２１４とアンテナ引き出し部２１３は無線タグリーダライタのケースの内部に位置する。
【００５１】
なお、無線タグリーダライタのケースにループアンテナ２０１を設ける際は、ケースの外側の壁面に基材２１２をしっかり固定する必要がある。
【００５２】
図１０はアンテナ回路２１４の一例を示す図である。このアンテナ回路２１４は、ループアンテナ２１１のインダクタンス２２１と、Ｑ調整抵抗２２２と、アンテナ周波数同調用コンデンサ２２３と、インピーダンス調整用コンデンサ２２４からなっている。
【００５３】
このように無線タグリーダのケースの外側表面に沿って設けられたシート状の基材２１２の上にアンテナ回路２１４を設けた場合、ケース内に設けた場合と比べ、大きな電流が流れるアンテナ回路２１４をケース内にある内部回路（図示せず）から離すことができ、内部回路への影響を低減でき、また、内蔵回路からアンテナへの影響を低減できる。
【００５４】
（実施例５）
本発明の実施例５の無線タグリーダライタについて図１１ないし図１６を参照しながら説明する。
【００５５】
図１１はハンドヘルドターミナル（ＨＨＴ）の正面斜視図である。ハンドヘルドターミナルは一般的にバーコードリーダを内蔵した情報端末であり、無線タグリーダライタの機能も備えたものである。ハンドヘルドターミナルの表面には、先端部を保護するゴムカバー２７１と、情報の入力及び出力結果を表示するための表示部２７２と、使用者が情報の入力を行なうテンキー２７３と、情報の送受信を開始するための送受信開始キー２７４等が設けられている。
【００５６】
図１２はハンドヘルドターミナル（ＨＨＴ）の背面斜視図である。
【００５７】
図１３はハンドヘルドターミナル（ＨＨＴ）の先端部にゴムカバー２７１が設けられていない状態を示し、先端部だけを示した図である。図１３に示すように先頭部２３１の内側にバーコード読み取り口２３２が設けられている。そして、このハンドヘルドターミナルを落下させたとき等に故障等が生じないよう、図１１や図１２に示すよう先端部２３１にゴムカバー２７１を設ける。
【００５８】
図１４にこのゴムカバー２７１の内側から見た図を示す。ゴムカバー２４１をハンドヘルドターミナル（ＨＨＴ）の先端部２３１に取り付けたときに、バーコード読み取り口２３２をふさがないように、ゴムカバー２７１にもバーコード読み取り口２４２が設けられている。
【００５９】
図１５にゴムカバー２７１の内側（ハンドヘルドターミナル側）にループアンテナを設置した図を示す。ゴムカバー２７１の読み取り口の周囲にシート状の基材２１２にループアンテナ２１１を設けたアンテナ２５２を取り付けている。また、同じシート状の基材２１２上にアンテナ回路２５３を設けている。このアンテナ２５２では、指向性は読み取り口と同じ方向である。なお、このアンテナ回路２５３は薄い回路素子で構成されることが望ましい。
【００６０】
図１６にゴムカバー２７１の内側で上部（ハンドヘルドターミナ端部分）にアンテナ２５２を設けた図を示す。このアンテナ２５２の指向性は読み取り口と略直角方向上側である。
【００６１】
このように、ゴムカバー２７１の内側であっても、アンテナ２５２を取り付ける位置によって無線タグの読み書きのために発する電波の指向性を変えることができ、例えば、ハンドヘルドターミナルの作業の種類によって無線タグを読む方向が異なる場合、所望の読取方向となるアンテナ２５２を備えたゴムカバー２７１に取り替えて作業を行うことで作業がしやすくすることができる。
【００６２】
また、アンテナ２５２を設けたゴムカバー２７１は、ハンドヘルドターミナルのケースに対して着脱可能とし、アンテナ２５２の特性が異なるもの、例えば、読み取り距離は短いが範囲が広いアンテナ２５２を設けたゴムカバー２７１と、範囲は狭いが距離は長いアンテナ２５２を設けたゴムカバー２７１等アンテナ２５２の特性が異なるゴムカバー２７１を複数用意しておき、ゴムカバー２７１を変更することで簡単にアンテナ特性を変更することができる。
【００６３】
なお、このアンテナ２５２を設けたゴムカバー２７１を容易に変更できるようにするため、アンテナ２５２と内部回路との接続には簡便なコネクタを用い、これによりアンテナと内部回路との接続や切り離しを簡便に行うようにする。
【産業上の利用可能性】
【００６４】
本発明の無線タグリーダライタは、ケースにおいて無線タグの読み取りを行なう一端面が曲面で形成されている無線タグリーダライタであり、その曲面に沿って可撓性を有するシートとそのシートに形成した導体パターンとからなる可撓性を有するアンテナが取り付けられた構成とすることにより、ケース内の位置設定自由度が高く、通信距離も長く、指向性に優れており、効率良く無線タグを読み書きするリーダライタ等として産業上有用である。
【図面の簡単な説明】
【００６５】
【図１】（ａ）本発明の無線タグリーダライタの側面図（ｂ）本発明の無線タグリーダライタの正面図
【図２】（ａ）本発明のループアンテナの正面図（ｂ）本発明のループアンテナの側面図
【図３】本発明の無線タグリーダライタと無線タグとホスト装置のブロック図
【図４】（ａ）本発明の無線タグリーダライタの電波読み取り口の断面図（ｂ）本発明の無線タグリーダライタの電波読み取り口の説明図
【図５】（ａ）本発明の電波読み取り口が複数の面からなる無線タグリーダライタの側面図（ｂ）本発明の電波読み取り口が曲面を含む複数の面からなる無線タグリーダライタの正面図
【図６】（ａ）本発明の複数のループアンテナの側面図（ｂ）本発明の複数のループアンテナの正面図
【図７】（ａ）本発明の磁性材料を有するループアンテナの正面図（ｂ）本発明の磁性材料を有するループアンテナの側面図
【図８】（ａ）本発明の無線タグリーダライタの側面図（ｂ）本発明の無線タグリーダライタの正面図
【図９】アンテナの正面図
【図１０】アンテナ回路の一例を示す図
【図１１】ハンドヘルドターミナル（ＨＨＴ）の正面斜視図
【図１２】ハンドヘルドターミナル（ＨＨＴ）の背面斜視図
【図１３】ハンドヘルドターミナル（ＨＨＴ）の先端部を示す図
【図１４】ゴムカバーを示す図
【図１５】ゴムカバーを示す図
【図１６】ゴムカバーを示す図
【図１７】平面状の堅牢なアンテナを搭載する無線タグリーダライタの断面図
【図１８】（ａ）フェライトコアを有するアンテナの斜視図（ｂ）フェライトコアを有するアンテナを搭載する無線タグリーダライタの断面図
【符号の説明】
【００６６】
１０１  ループアンテナ
２  電波読み取り口
３  パワースイッチ
４  送信開始キー
５  ＯＫキー
６  テンキー
７  ファンクションキー
８  表示部
【図１】
2004266811.tif 000003
【図２】
2004266811.tif 000004
【図３】
2004266811.tif 000005
【図４】
2004266811.tif 000006
【図５】
2004266811.tif 000007
【図６】
2004266811.tif 000008
【図７】
2004266811.tif 000009
【図８】
2004266811.tif 000010
【図９】
2004266811.tif 000011
【図１０】
2004266811.tif 000012
【図１１】
2004266811.tif 000013
【図１２】
2004266811.tif 000014
【図１３】
2004266811.tif 000015
【図１４】
2004266811.tif 000016
【図１５】
2004266811.tif 000017
【図１６】
2004266811.tif 000018
【図１７】
2004266811.tif 000019
【図１８】
2004266811.tif 000020